(57)【要約】【課題】コンクリート打継部において、止水性能を確保しつつ、一方のコンクリート部分と他方のコンクリート部分とをより確実に縁切りすることが可能な水平スリット材支持具及びスリット構造を提供する。【解決手段】梁１に外壁２を打ち継ぐコンクリート打継部Ｘで、目地３に対して間隔を隔てて併設される水平スリット材４を支持するための水平スリット材支持具５であって、梁に、目地と水平スリット材の間に位置させて設置される第一支持部材８と、外壁に、第一支持部材と互いに向かい合わせて、目地と水平スリット材の間に設置される第二支持部材９と、弾性素材で形成され、これら第一支持部材と第二支持部材の間に設けられる止水部材１０とからなる。【選択図】図１
2014211021.tif 000002
【特許請求の範囲】
【請求項１】
一方のコンクリート部分に他方のコンクリート部分を打ち継ぐコンクリート打継部で、目地に対して間隔を隔てて併設される水平スリット材を支持するための水平スリット材支持具であって、
上記一方のコンクリート部分に、上記目地と上記水平スリット材の間に位置させて設置される第一支持部材と、上記他方のコンクリート部分に、上記第一支持部材と互いに向かい合わせて、上記目地と上記水平スリット材の間に設置される第二支持部材と、弾性素材で形成され、これら第一支持部材と第二支持部材の間に設けられる止水部材とからなることを特徴とする水平スリット材支持具。
【請求項２】
前記第一支持部材及び前記第二支持部材は、互いに向かい合う平坦部を有すると共に、いずれか一方の該支持部材の該平坦部の一側縁に、これより当該平坦部に対して直交する方向へ立ち上げて壁部が形成され、該壁部は前記目地と対向するように設置されることを特徴とする請求項１に記載の水平スリット材支持具。
【請求項３】
前記第一支持部材及び前記第二支持部材は、互いに向かい合う平坦部を有すると共に、該平坦部の一側縁に、これより当該平坦部に対して直交する方向へ立ち上げて壁部がそれぞれ形成され、これら第一支持部材及び第二支持部材は、それらの壁部間に平坦部を挟み込む配置で、一方の該壁部が前記目地と対向し、他方の該壁部が前記水平スリット材と対向するように、前記コンクリート打継部に設置されることを特徴とする請求項１に記載の水平スリット材支持具。
【請求項４】
前記第一支持部材及び前記第二支持部材は、前記目地と対向する一方の該支持部材の前記平坦部が部分的に前記水平スリット材と対向し、該水平スリット材と対向する他方の該支持部材の前記平坦部が部分的に前記目地と対向するように、前記コンクリート打継部に設置されることを特徴とする請求項２または３に記載の水平スリット材支持具。
【請求項５】
前記第一支持部材及び前記第二支持部材のうち、前記壁部が前記目地と対向する一方の該支持部材は、その平坦部の位置が、該目地の面と面一あるいは当該面よりも没入した位置に設定されることを特徴とする請求項２〜４いずれかの項に記載の水平スリット材支持具。
【請求項６】
請求項１〜５いずれかの項に記載の水平スリット材支持具が、一方のコンクリート部分に他方のコンクリート部分を打ち継ぐ前記コンクリート打継部に設けられる前記目地と該目地から間隔を隔てて併設される前記水平スリット材との間に設置されていることを特徴とするスリット構造。
【発明の詳細な説明】
【技術分野】
【０００１】
本発明は、コンクリート打継部において、止水性能を確保しつつ、一方のコンクリート部分と他方のコンクリート部分とをより確実に縁切りすることが可能な水平スリット材支持具及びスリット構造に関する。
【背景技術】
【０００２】
ＲＣ造などのコンクリート構造物では、柱や壁の境界部分に不連続となる構造スリットを形成する目的でスリット材が使用されている。例えば、コンクリート打継部にスリット材を用いて一方のコンクリート部分と他方のコンクリート部分の縁を切ることで、構造物が地震等による外力を受けたときに構造物に生じる力を、スリット材により吸収し緩和する。
【０００３】
スリット材による吸収・緩和作用によって力の伝達を遮断することにより、コンクリート構造物のせん断破壊・脆性破壊を防ぎ、コンクリート打継部におけるひび割れの発生を抑えるなど、のため、一般的に、スリット材としては、地震時の緩衝材として機能させるために、外力を受けて変位した場合に元に戻ろうとする、所謂復元力を有するものが使用される。
【０００４】
このようなスリット材は、支持具とともに設置されることが一般的であり、この種支持具の中には、止水機能を備えている、或いは、目地棒を取り付け易くする等の工夫が施されているものがある。
【０００５】
特許文献１の「コンクリート打継部分の止水構造及び止水部材」では、止水部材を介在させて前打コンクリートと後打コンクリートとが打継がれてなるコンクリート打継部分の止水構造であって、止水部材が長尺で剛性を有すると共に長手方向に対する垂直断面形状においてＬ型部を有している。
【０００６】
特許文献２の「水平スリット材用支持具」では、梁と非構造壁下端側の水平接合部分において、前記梁の外面上端部に形成される目地部の内側に長手方向に沿って設けられる水平スリット材を、コンクリートを前記水平スリット材の上面位置まで打設する際に所定位置に固定する支持具であって、前記目地部を形成する垂直型枠内面の目地棒に嵌合する連結部と、当該目地棒の長手方向に延在する水平スリット材の保持部とを備えている。
【０００７】
特許文献３の「打継埋め込み部材および打継部の構造」では、外型枠と内型枠との間にコンクリートを打設して形成される壁部の打継部に埋設する打継埋め込み部材であって、上面板、底面板および水返しを有し、前記上面板と前記底面板が、前記外型枠に固定された打継目地棒に係合するための基部と、前記外型枠と前記内型枠の間において前記基部よりも前記内型枠側に位置づけられる先端部を形成し、前記上面板と前記底面板は、それらの間隔が前記先端部に向け狭まって、前記打継目地棒に係合した該打継埋め込み部材の前記底面板が前記外型枠側に向け下降する斜面を形成するとともに、先端部において接続され、前記上面板上には、前記先端部の近傍に前記水返しが位置づけられ、かつ第１の通水孔が前記水返しよりも基部側に穿設され、前記第１の通水孔から前記上面板と前記底面板の間の空間に流下した浸水を前記空間からさらに流下させる第２の通水孔が前記底面板に穿設されている。
【０００８】
そしてこれら特許文献では特に、支持具に、水返しやブチルゴムを用いることで止水効果を向上したり（特許文献１参照）、目地棒を取り付け易いように接続部やアンカーを設け、目地棒を取り外す際に、支持具まで外れないようにしている（特許文献２及び３参照）。
【先行技術文献】
【特許文献】
【０００９】
【特許文献１】特開２００７−３２１２９８号公報
【特許文献２】特許第４６２７５９３号公報
【特許文献３】特許第５０００４２２号公報
【発明の概要】
【発明が解決しようとする課題】
【００１０】
上記特許文献では、支持具に設けられた水返し、接続部及びアンカーなどは、一方のコンクリート部分と他方のコンクリート部分とに跨って設置されているため、一方のコンクリート部分と他方のコンクリート部分との縁が完全に切れてはいなかった。
このため、地震等の外力が構造物に作用すると、支持具がコンクリート部分相互の挙動を拘束してしまい、コンクリート打継部やその近傍にひび割れが生じてしまうおそれがあるという課題があった。
【００１１】
本発明は上記従来の課題に鑑みて創案されたものであって、コンクリート打継部において、止水性能を確保しつつ、一方のコンクリート部分と他方のコンクリート部分とをより確実に縁切りすることが可能な水平スリット材支持具及びスリット構造を提供することを目的とする。
【課題を解決するための手段】
【００１２】
本発明にかかる水平スリット材支持具は、一方のコンクリート部分に他方のコンクリート部分を打ち継ぐコンクリート打継部で、目地に対して間隔を隔てて併設される水平スリット材を支持するための水平スリット材支持具であって、上記一方のコンクリート部分に、上記目地と上記水平スリット材の間に位置させて設置される第一支持部材と、上記他方のコンクリート部分に、上記第一支持部材と互いに向かい合わせて、上記目地と上記水平スリット材の間に設置される第二支持部材と、弾性素材で形成され、これら第一支持部材と第二支持部材の間に設けられる止水部材とからなることを特徴とする。
【００１３】
前記第一支持部材及び前記第二支持部材は、互いに向かい合う平坦部を有すると共に、いずれか一方の該支持部材の該平坦部の一側縁に、これより当該平坦部に対して直交する方向へ立ち上げて壁部が形成され、該壁部は前記目地と対向するように設置されることを特徴とする。
【００１４】
前記第一支持部材及び前記第二支持部材は、互いに向かい合う平坦部を有すると共に、該平坦部の一側縁に、これより当該平坦部に対して直交する方向へ立ち上げて壁部がそれぞれ形成され、これら第一支持部材及び第二支持部材は、それらの壁部間に平坦部を挟み込む配置で、一方の該壁部が前記目地と対向し、他方の該壁部が前記水平スリット材と対向するように、前記コンクリート打継部に設置されることを特徴とする。
【００１５】
前記第一支持部材及び前記第二支持部材は、前記目地と対向する一方の該支持部材の前記平坦部が部分的に前記水平スリット材と対向し、該水平スリット材と対向する他方の該支持部材の前記平坦部が部分的に前記目地と対向するように、前記コンクリート打継部に設置されることを特徴とする。
【００１６】
前記第一支持部材及び前記第二支持部材のうち、前記壁部が前記目地と対向する一方の該支持部材は、その平坦部の位置が、該目地の面と面一あるいは当該面よりも没入した位置に設定されることを特徴とする。
【００１７】
本発明にかかるスリット構造は、上記水平スリット材支持具が、一方のコンクリート部分に他方のコンクリート部分を打ち継ぐ前記コンクリート打継部に設けられる前記目地と該目地から間隔を隔てて併設される前記水平スリット材との間に設置されていることを特徴とする。
【発明の効果】
【００１８】
本発明にかかる水平スリット材支持具及びスリット構造にあっては、コンクリート打継部において、止水性能を確保しつつ、一方のコンクリート部分と他方のコンクリート部分とをより確実に縁切りすることができる。
【図面の簡単な説明】
【００１９】
【図１】本発明に係る水平スリット材支持具及びそれを用いたスリット構造の好適な一実施形態を示す側断面図である。
【図２】図１に示した水平スリット材支持具の斜視図である。
【図３】図１に示した水平スリット材支持具の設置手順を示す工程図である。
【図４】本発明に係る水平スリット材支持具及びそれを用いたスリット構造の変形例を示す側断面図である。
【発明を実施するための形態】
【００２０】
以下に、本発明にかかる水平スリット材支持具及びスリット構造の好適な実施形態を、添付図面を参照して詳細に説明する。本実施形態では、ＲＣ造等のコンクリート構造物において、一方のコンクリート部分に他方のコンクリート部分を打ち継ぐコンクリート打継部の一例として、構造部材である梁と、非構造部材である外壁との横向きの境界部分が示されている。これ以外のコンクリート打継部であっても、本発明を適用できることは勿論である。また、水平スリット材としては、発泡樹脂やグラスウールなどの周知の材料で形成される。
【００２１】
図１は、本実施形態に係る水平スリット材支持具及びそれを用いたスリット構造を示す側断面図であり、図２は、図１に示した水平スリット材支持具の斜視図である。
【００２２】
本実施形態における梁１と外壁２とのコンクリート打継部Ｘには図１に示すように、梁１と外壁２との間に、コンクリート構造物の外周部に面して目地３が設けられると共に、梁１と外壁２との間であって、目地３よりもコンクリート構造物の内側に位置させて水平スリット材４が設けられ、これら水平スリット材４と目地３との間に、水平スリット材支持具５が設置される。
【００２３】
水平スリット材支持具５は、コンクリート打継部Ｘにおいて、目地３に対して間隔を隔てて併設される水平スリット材４を支持するようになっている。目地３は、コーキング材６とバックアップ材７とで構成される。水平スリット材支持具５は、外壁２を両側から挟んで立設される柱間方向に沿って設けられる。水平スリット材支持具５は、その長さ方向が柱間寸法に達するように、長尺に形成される。複数の水平スリット材支持具５を長さ方向に並べて、その長さ寸法が柱間寸法に達するようにしても良い。
【００２４】
水平スリット材支持具５は主に、図１及び図２に示すように、一方のコンクリート部分である梁１側に設置される第一支持部材８と、他方のコンクリート部分である外壁２側に設置される第二支持部材９と、これら第一支持部材８と第二支持部材９との間に設けられる止水部材１０とから構成される。第一支持部材８及び第二支持部材９は共に、目地３と水平スリット材４の間に位置させて設置される。また、第一支持部材８と第二支持部材９は、上下方向に互いに向かい合わせて設置される。
【００２５】
第一支持部材８と第二支持部材９は、同一形態・同一材質の同じ部材である。これら第一支持部材８及び第二支持部材９は例えば、それらの長さ方向に押し出して成形される合成樹脂製もしくは金属製の押出成形部材である。
【００２６】
第一支持部材８及び第二支持部材９は、その長さ方向と直交する方向で切断した断面がほぼＬ字状に形成される。詳細には、第一支持部材８及び第二支持部材９は、これらを上下に重ねたときに互いに向かい合う平坦部８ａ，９ａを有する。各支持部材８，９の平坦部８ａ，９ａにおいて、当該支持部材８，９の長さ方向と直交する幅方向における平坦部８ａ，９ａの一側縁からは、これより平坦部８ａ，９ａに対して直交する方向へ、すなわち直角に立ち上げて壁部８ｂ，９ｂが形成される。これら壁部８ｂ，９ｂ及び平坦部８ａ，９ａにより、各支持部材８，９は、断面Ｌ字状に形成される。
【００２７】
各支持部材８，９の平坦部８ａ，９ａには、互いに対向する表面８ｃ，９ｃとは反対側の裏面８ｄ，９ｄに、壁部８ｂ，９ｂの立ち上げ方向と同じ側へ突出する突起でなるアンカー８ｅ，９ｅが支持部材８，９の長さ方向に沿ってかつその幅方向に間隔を隔てて設けられる。これらアンカー８ｅ，９ｅは、梁１及び外壁２を形成する打設コンクリート中に埋設される。
【００２８】
第一支持部材８及び第二支持部材９は、これらを互いに上下及び左右双方で向きを反転した状態で、平坦部８ａ，９ａ同士が互いに向かい合うように組み合わせて用いられる。これにより、第一支持部材８は、垂下される壁部８ｂが目地３と対向するように設置される。また、第二支持部材９は、立ち上がる壁部９ｂが水平スリット材４と対向するように設置される。そしてこれら支持部材８，９は、それらの平坦部８ａ，９ａが壁部８ｂ，９ｂ間に挟み込まれる配置で、コンクリート打継部Ｘに設置される。
【００２９】
さらに、双方の支持部材８，９の平坦部８ａ，９ａを幅方向に位置ずれさせて配置することにより、壁部８ｂが目地３と対向する第一支持部材８の平坦部８ａが、部分的に水平スリット材４と上下に対向し、かつ壁部９ｂが水平スリット材４と対向する第二支持部材９の平坦部９ａが、部分的に目地３と上下に対向するように、これら支持部材８，９がコンクリート打継部Ｘに設置される。
【００３０】
すなわち、第二支持部材９の平坦部９ａが第一支持部材８の壁部８ｂから目地３の上側に迫り出し、同時に、第一支持部材８の平坦部８ａが第二支持部材９の壁部９ｂから水平スリット材４の下側に迫り出し、これによってこれら目地３または水平スリット材４を位置決めする隅角部Ｙが形成される。
【００３１】
加えて、壁部８ｂが目地３と対向する第一支持部材８は、コンクリート打継部Ｘにおける平坦部８ａの位置が、目地３の上面３ａと面一、あるいは止水部材１０の寸法分相当で当該上面３ａよりも没入した位置に設定される。
【００３２】
第一支持部材８と第二支持部材９の間の止水部材１０は、ゲルや軟質の塩化ビニル材、ブチルゴムなどの弾性素材で形成される。止水部材１０は、各支持部材８，９に予め一体的に設けておくようにしても良い。
【００３３】
図３は、水平スリット材支持具５の設置手順を示す工程図である。まず、型枠１１に設置した目地棒１２に、第一支持部材８を釘１３で取付固定する。詳細には、アンカー８ｅが形成されている第一支持部材８の平坦部８ａの裏面８ｄを下方に向ける。また、第一支持部材８の壁部８ｂを、外壁２の外回りに位置することとなる目地棒１２に対向させる。
【００３４】
そして、壁部８ｂ側から目地棒１２に向けて釘１３を打ち付けて、第一支持部材８を目地棒１２に固定する。第一支持部材８を目地棒１２に固定するとき、平坦部８ａの表面８ｃが、目地３の上面３ａとなる目地棒１２の上面１２ａよりも下方に位置されて、目地棒１２の上面１２ａより没入した位置となるように配置する（図３（ａ）参照）。第一支持部材８の平坦部８ａの表面８ｃが、目地棒１２の上面１２ａと面一となるように配置しても良い。
【００３５】
次に、第一支持部材８の平坦部８ａの表面８ｃに、目地棒１２の上面１２ａとほぼ面一となるように止水部材１０を設置する。止水部材１０は図３に示すように、各支持部材８，９の幅方向に広く、平坦部表面８ｃのほぼ全域にわたるような一体品であっても、幅方向に適宜に分割されたものであってもよい。
【００３６】
次に、目地棒１２及び止水部材１０双方の上に、これらに跨がるようにして、第二支持部材９を設置する。詳細には、アンカー９ｅが形成されている第二支持部材９の平坦部９ａの裏面９ｄを上方に向ける。また、第二支持部材９の壁部９ｂを、目地棒１２とは反対側に向ける。第一支持部材８の平坦部８ａと上下に向かい合う第二支持部材９の平坦部９ａは、目地棒１２の上面１２ａに部分的に被さるように、第一支持部材８の平坦部８ａに対し位置がずらされ、当該第一支持部材８の平坦部８ａから迫り出される。これにより、第一支持部材８の平坦部８ａも、第二支持部材９の平坦部９ａから迫り出される（図３（ｂ）参照）。
【００３７】
別の施工方法としては、型枠１１に設置した目地棒１２に、第一支持部材８を釘１３で取付固定する前に、予め、第一支持部材８と第二支持部材９と止水部材１０とを一体化したもの、すなわち、これら支持部材８，９双方を、互いに上下及び左右方向で向きを反転させて平坦部８ａ，９ａ同士を互いに向かい合わせ、且つ当該平坦部８ａ，９ａの位置を幅方向にずらしたものを一体品として用意しておく仕方がある。このようにすれば、目地棒１２に水平スリット材支持具５を固定する際、第二支持部材９の平坦部９ａと第一支持部材８の壁部８ｂで形成される隅角部Ｙ（図１参照）と目地棒１２の角部とを合わせるだけで、容易に位置決めをすることができ、施工性を向上することができる。
【００３８】
次に、コンクリート打継部Ｘとなる打設ラインＬまで、梁１を形成するためのコンクリートを打設する。このとき、目地棒１２の上面１２ａ及び第二支持部材９の平坦部９ａ直下までコンクリートを打設する（図３（ｃ）参照）。
【００３９】
次に、打設したコンクリートが硬化した後に、当該コンクリート（梁１）上に、水平スリット材４をセットする。この際、第二支持部材９の壁部９ｂに、水平スリット材４の端面を対向させて当接させる（図３（ｄ）参照）。
【００４０】
次に、外壁２を形成するためのコンクリートを打設する。打設したコンクリートが硬化したら、型枠１１及び目地棒１２を取り外す（図３（ｅ）参照）。その後、目地棒１２を取り外すことで現れる窪みに、コーキング材６を充填し、更にバックアップ材７を充填することで、これらコーキング材６及びバックアップ材７が詰められた目地３が形成される（図３（ｆ）参照）。
【００４１】
本実施形態に係る水平スリット材支持具５及びスリット構造によれば、梁１に外壁２を打ち継ぐコンクリート打継部Ｘで、目地３に対して間隔を隔てて併設される水平スリット材４を支持するための水平スリット材支持具５が、梁１に対して目地３と水平スリット材４の間に位置させて設置される第一支持部材８と、外壁２に対して第一支持部材８と互いに向かい合わせて、目地３と水平スリット材４の間に設置される第二支持部材９と、これら第二支持部材９と第一支持部材８の間に設けられる止水部材１０とを備えて構成されている。すなわち、第一支持部材８と第二支持部材９とを上下に重ね、これらの間に止水部材１０を設けることにより、目地３が設けられる梁１と、水平スリット材４が設けられる外壁２との間をほぼ完全に縁切りすることができる。これにより、コンクリート構造物が地震等の外力を受けたときに力の伝達を遮断することができ、梁１や外壁２へのひび割れの発生を抑制することができる。
【００４２】
特に、第一支持部材８と第二支持部材９との間に設ける止水部材１０を弾性素材で形成しているので、地震時における揺れに対して、水平スリット材支持具５が追随することができ、梁１と外壁２との相対的な挙動が拘束されることがなく、梁１及び外壁２の損傷を大幅に低減することができる。
【００４３】
止水部材１０を、弾力性や復元力があり、かつ、伸び性能が高いゲルや軟質の塩化ビニル材のような素材で形成しているので、地震時のエネルギーを吸収でき、水平スリット材４と同様の作用を水平スリット材支持具５でも発揮させることができる。一般に、水平スリット材支持具５の下側に、水平スリット材４と同じ厚さの下側水平スリット材１５が設置される。本実施形態のように、弾力性や復元力があり、かつ、伸び性能が高い止水部材１０を採用すれば、図４に示すように、第一支持部材８の下側に設置する下側水平スリット材１５の厚みを薄くすることもでき、これによって材料コストを低減することができる。
【００４４】
目地３に対向する第一支持部材８及び第二支持部材９の間に止水部材１０を設けているので、たとえ目地３から水が浸入したとしても、コンクリート構造物内部への水の浸入を防止することができる。
【００４５】
第一支持部材８及び第二支持部材９にあっては、互いに向かい合う平坦部８ａ，９ａを有すると共に、平坦部８ａ，９ａの一側縁に、これより当該平坦部８ａ，９ａに対して直交する方向へ立ち上げて壁部８ｂ，９ｂがそれぞれ形成され、これら第一支持部材８及び第二支持部材９は、それらの壁部８ｂ，９ｂ間に平坦部８ａ，９ａを挟み込む配置で、一方の壁部８ｂが目地３と対向し、他方の壁部９ｂが水平スリット材４と対向するように、コンクリート打継部Ｘに設置されるので、たとえ第二支持部材９の平坦部９ａ上に水が浸入したとしても、コンクリート構造物内部への水の浸入を防止することができる。
【００４６】
第一支持部材８と第二支持部材９を同一形態・同一材質にすれば、これらを単一の型や製造装置で製造することができる。これにより、材料コストを低減することができる。また、水平スリット材支持具５を施工するとき、第一支持部材８と第二支持部材９の取り付け間違いがなくなり施工性を向上できると共に、在庫管理も容易化することができる。
【００４７】
第一支持部材８及び第二支持部材９にあっては、壁部８ｂが目地３と対向する第一支持部材８の平坦部８ａが、部分的に水平スリット材４に下方から対向し、壁部９ｂ水平スリット材４と対向する第二支持部材９の平坦部９ａが部分的に目地３に上方から対向するように、コンクリート打継部Ｘに設置されるので、これら支持部材８，９で形成される隅角部Ｙに目地棒１２や水平スリット材４を当接させることで、的確に位置決めして支持することができ、支持具として複雑な形状を組み込むことなく、施工作業性を向上することができる。
【００４８】
目地棒１２の上面１２ａに載せられる第二支持部材９の平坦部９ａにより、梁１を形成するコンクリートの打設ラインＬを明確にすることができ、コンクリートの打設作業も的確かつ容易化することができる。第二支持部材９の平坦部９ａの一側縁に、梁１上に立ち上げられる壁部９ｂを形成すれば、梁１の構築後に当該壁部９ｂに水平スリット材４を当接させるだけで、当該水平スリット材４を所定位置に的確に設置することができ、施工性をさらに向上できる。
【００４９】
第一支持部材８及び第二支持部材９にアンカー８ｅ，９ｅを設けたので、これら支持部材８，９を梁１及び外壁２に対し、強固に固定することができる。強固な固定を確保することができるので、第一支持部材８を固定している釘１３から、目地棒１２を撤去する場合であっても、水平スリット材支持具５が梁１や外壁２から抜脱されることを確実に防止することができる。
【００５０】
上記実施形態では、第一支持部材８と第二支持部材９を同一形態としたが、これら支持部材８，９は同一形態でなくても良く、目地３と対向する一方の支持部材には、平坦部とその平坦部の一側縁に壁部を形成し、他方の支持部材には、平坦部のみを形成するようにしても良い。
【符号の説明】
【００５１】
１  梁
２  外壁
３  目地
４  水平スリット材
５  水平スリット材支持具
８  第一支持部材
８ａ  平坦部
８ｂ  壁部
９  第二支持部材
９ａ  平坦部
９ｂ  壁部
１０  止水部材
Ｘ  コンクリート打継部
【図１】
2014211021.tif 000003
【図２】
2014211021.tif 000004
【図３】
2014211021.tif 000005
【図４】
2014211021.tif 000006